(57)【特許請求の範囲】
【請求項１】
柱状の構造物の高所で作業する人の腰部付近に装着体を装着する工程と、  
この装着体の所定位置に設けられ、当該装着体を腰部に離脱しないように固定部を固定する工程と、
少なくとも２本のロープを、上記柱状の構造物を周回し、当該ロープの両端を上記装着体の異なる位置に着脱自在に係止する工程であって、
この少なくとも２本のロープのそれぞれの一端には容易着脱部が設けられ、他端には困難着脱部が設けられ、  この困難着脱部を上記装着体から外すときの操作位置が上記装着体または困難着脱部自身で隠されるまたは困難着脱部が作動しなくなって容易に外すことができず、  上記容易着脱部を上記装着体から外すときの操作位置が隠されずまたは容易着脱部の作動が妨害されず容易に外すことができるものであり、
当該少なくとも２本のロープのそれぞれの容易着脱部を、上記装着体の左右逆の位置に設け、  この少なくとも２本のロープのそれぞれの困難着脱部を、上記装着体の左右逆の位置に設け、  これら容易着脱部と困難着脱部とは、この容易着脱部が上記装着体の右側に係止されれば、この困難着脱部を上記装着体の左側に係止し、当該容易着脱部が上記装着体の左側に係止されれば、当該困難着脱部を上記装着体の右側に係止し、  しかも上記右側の容易着脱部の係止位置は、上記右側の困難着脱部の係止位置より上記腰部の前であるとともに、上記左側の容易着脱部の係止位置は、上記左側の困難着脱部の係止位置より上記腰部の前であるか、  または、上記右側の容易着脱部の係止位置は、上記右側の困難着脱部の係止位置より上記腰部の後であるとともに、上記左側の容易着脱部の係止位置は、上記左側の困難着脱部の係止位置より上記腰部の後であるか、  または、上記右側の容易着脱部の係止位置は、上記右側の困難着脱部の係止位置と前後方向において同じであるとともに、かつ上記左側の容易着脱部の係止位置は、上記左側の困難着脱部の係止位置と前後方向において同じであることを特徴とする落下防止安全方法。
【請求項２】
上記柱状の構造物を作業者が昇降するとき、上記２本のロープの片方を当該柱状の構造物を周回させ、
当該柱状の構造物の外に突出する障害物がある箇所では、  上記柱状の構造物を周回するロープが、当該障害物の下にあるとき、残りの他のロープを当該障害物の上に周回させて、当該障害物の下にあるロープの当該周回を解除し、  上記柱状の構造物を周回するロープが、当該障害物の上にあるとき、残りの他のロープを当該障害物の下に周回させて、当該障害物の上にあるロープの当該周回を解除し、  これにより当該障害物を越えて昇降することを特徴とする請求項１記載の落下防止安全方法。
【請求項３】
柱状の構造物の高所で作業する人の腰部付近に装着され装着体と、 
この装着体の所定位置に設けられ、当該装着体を腰部に離脱しないように固定する固定部と、
上記柱状の構造物を周回し、両端が上記装着体の異なる位置に着脱自在に係止される、少なくとも２本のロープとを備え、
この少なくとも２本のロープのそれぞれの一端には容易着脱部が設けられ、他端には困難着脱部が設けられ、  この困難着脱部を上記装着体から外すときの操作位置が上記装着体または困難着脱部自身で隠されるまたは困難着脱部が作動しなくなって容易に外すことができず、  上記容易着脱部を上記装着体から外すときの操作位置が隠されずまたは容易着脱部の作動が妨害されず容易に外すことができるものであり、
当該少なくとも２本のロープのそれぞれの容易着脱部は、上記装着体の左右逆の位置に設けられ、  この少なくとも２本のロープのそれぞれの困難着脱部は、上記装着体の左右逆の位置に設けられ、
これら容易着脱部と困難着脱部とは、  この容易着脱部が上記装着体の右側に係止されれば、この困難着脱部は上記装着体の左側に係止され、  当該容易着脱部が上記装着体の左側に係止されれば、当該困難着脱部は上記装着体の右側に係止され、  しかも上記右側の容易着脱部の係止位置は、上記右側の困難着脱部の係止位置より上記腰部の前であるとともに、上記左側の容易着脱部の係止位置は、上記左側の困難着脱部の係止位置より上記腰部の前であるか、  または、上記右側の容易着脱部の係止位置は、上記右側の困難着脱部の係止位置より上記腰部の後であるとともに、上記左側の容易着脱部の係止位置は、上記左側の困難着脱部の係止位置より上記腰部の後であるか、  または、上記右側の容易着脱部の係止位置は、上記右側の困難着脱部の係止位置と前後方向において同じであるとともに、上記左側の容易着脱部の係止位置は、上記左側の困難着脱部の係止位置と前後方向において同じであることを特徴とする落下防止安全装置。
【請求項４】
上記柱状の構造物を作業者が昇降するとき、上記２本のロープの片方を当該柱状の構造物を周回させ、
当該柱状の構造物の外に突出する障害物がある箇所では、  上記柱状の構造物を周回するロープが、当該障害物の下にあるとき、残りの他のロープを当該障害物の上に周回させて、当該障害物の下にあるロープの当該周回を解除し、  上記柱状の構造物を周回するロープが、当該障害物の上にあるとき、残りの他のロープを当該障害物の下に周回させて、当該障害物の上にあるロープの当該周回を解除し、  これにより当該障害物を越えて昇降することを特徴とする請求項３記載の落下防止安全装置。
【請求項５】
上記２本のロープの２つの容易着脱部は、上記作業する人の左右逆の位置に設けられ、  上記２本のロープの２つの困難着脱部は、上記作業する人の左右逆の位置に設けられることを特徴とする請求項４記載の落下防止安全装置。
【請求項６】
上記困難着脱部が装着体に装着された状態の困難着脱部自身内の遊びは少なく、困難着脱部は容易に外すことができず、  上記容易着脱部が装着体に装着された状態の容易着脱部自身内の遊びは、上記困難着脱部自身内の遊びより多く、容易着脱部は容易に外すことができることを特徴とする請求項５記載の落下防止安全装置。
【請求項７】
上記困難着脱部は、上記装着体からの上記ロープの長さを調節する伸縮調節器を備えることを特徴とする請求項６記載の落下防止安全装置。
【発明の詳細な説明】
【技術分野】
【０００１】
本発明は、配電柱等柱状構造物の高所で作業する作業者が使用する落下防止安全装置に関する。
【背景技術】
【０００２】
配電柱等柱状構造物の高所で作業する場合には、通常、作業者は腰部に安全帯を装着し、この安全帯に取り付けられるロープを配電柱に回しかけて、昇降および作業中の安全を確保している。
【０００３】
【特許文献１】特開２０１２−２００３７５号公報
【特許文献２】実開平０７−０００３８９号公報
【発明の開示】
【発明が解決しようとする課題】
【０００４】
しかし、配電柱に設けられた腕木、街灯、看板等の障害物をかわして、配電柱を昇降しなければならない場合等には、一旦、配電柱に回しかけた落下防用のロープを外さなければならない。このとき、作業者は両手または片手で配電柱をつかんでいなくてはならず、作業効率が悪かった。
【課題を解決するための手段】
【０００５】
上記課題を解決するため、本発明の落下防止安全装置では、柱状の構造物の高所で作業する人の腰部付近に装着され装着体と、この装着体の所定位置に設けられ、当該装着体を腰部に離脱しないように固定する固定部と、上記柱状の構造物を周回し、両端が上記装着体の異なる位置に着脱自在に係止される、少なくとも２本のロープとを備えた。
【０００６】
また、本発明の落下防止安全装置では、上記柱状の構造物を作業者が昇降するとき、上記２本のロープの片方を当該柱状の構造物を周回させ、  当該柱状の構造物の外に突出する障害物がある箇所では、  上記柱状の構造物を周回するロープが、当該障害物の下にあるとき、残りの他のロープを当該障害物の上に周回させて、当該障害物の下にあるロープの当該周回を解除し、  上記柱状の構造物を周回するロープが、当該障害物の上にあるとき、残りの他のロープを当該障害物の下に周回させて、当該障害物の上にあるロープの当該周回を解除し、  これにより当該障害物を越えて昇降する。
【発明の効果】
【０００７】
本発明の落下防止安全装置によれば、装着体に少なくとも２本のロープが取り付けられているので、昇降するロープ以外の残りのロープで、障害物を回避できる。例えば、柱状構造物の外に突出する障害物をかわすため、昇降に使ったロープを一時的に外さなければならない場合にも、残りの他のロープを、障害物を越えた昇る先または降りる先に周回しておけば、この障害物を安全に回避して、柱状の構造物を昇降できる。このとき、作業者は両手が自由になるので、作業効率が向上する。
【図面の簡単な説明】
【０００８】
【図１】本発明による落下防止安全装置１全体の斜視図を示す。
【図２】本発明による落下防止安全装置１の伸縮調節器９（１０）及びフック１６、１７（困難着脱部）の構造を示す。
【図３】本発明による落下防止安全装置１のフック１１（１２）（容易着脱部）を示す。
【図４】本発明による落下防止安全装置１全体の概略図を示す。
【図５】本発明による落下防止安全装置１の使用状態を示す。
【図６】本発明による落下防止安全装置１の使用状態を示す。
【符号の説明】
【０００９】
１…落下防止安全装置  ２…安全帯（装着体）  
３…副帯（装着体）  ４…角環（困難着脱部）  
５…Ｄ環（容易着脱部）  ６…Ｄ環（容易着脱部）  
７…ロープ  ８…ロープ  
９…伸縮調節器  １０…伸縮調節器  
１１…フック（容易着脱部）  １２…フック（容易着脱部）  
１３…帯通し  １４…バックル（固定部）  
１５…収納器  １６…フック（困難着脱部）  
１７…フック（困難着脱部）  １８…開閉部  
２１…配電柱（柱状構造物）  ２２…ステップボルト  
２３…障害物  ２４…掛止部材  
２５…開閉部  ３１…ロープホルダー  
３２…連結リンク  ３３…操作部  
Ｍ…作業者
【発明を実施するための形態】
【００１０】
（１）安全装置１の構造
図１は本発明の落下防止安全装置１全体の斜視図を示し、図４は本落下防止安全装置１を上から見た概念図を示す。この落下防止安全装置１は、配電柱等柱状の構造物の高所で作業する人が、墜落、落下するのを防止して、安全を確保するために使用するものである。落下防止安全装置１は、作業する人の腰部付近に装着される安全帯２及び副帯３と、上記柱状の構造物を周回し、両端がこの安全帯２及び副帯３の異なる位置に係止される２本のロープ７、８とを備えている。
【００１１】
安全帯２（装着体、周回体、帯体）は、幅数センチメートル、例えば４乃至５センチメートル、長さが作業者Ｍの腰の周回より長く、例えば１メートル２０センチメートルほどで、丈夫なナイロン、ポリエステル等の合成繊維でできている。この安全帯２は作業者Ｍの腰部に周回／巻回されて装着され、安全帯２の一方の端部には、アルミ製のバックル１４（固定部）が設けられ、このバックル１４に安全帯２の他の端が係合し、安全帯２が作業者Ｍの腰から離脱せずズレない。
【００１２】
この安全帯２内側に、この安全帯２より縦方向の幅が広く長さの短い副帯３（装着体、周回体、帯体）を備える。副帯３の幅は数センチメートル、例えば１０センチメートルほど、副帯３の長さは作業者Ｍの腰の周回より短く、例えば７０センチメートルほどであり、ナイロン、ビニロン、ウレタン等の丈夫で耐候性、耐久性のある合成繊維でできており、内部にパットが入っている。
【００１３】
この副帯３は安全帯２の内側に装着され、これにより作業する人の腰部が保護され、作業効率を上げることができる。副帯３の外面には、複数の帯通し１３が縫合等によって固定され、この帯通し１３並びに次述するＤ環５、６及び角環４、４を安全帯２が挿通されて、副帯３に安全帯２が連結され、副帯３も安全帯２とともに作業者Ｍの腰に周回され装着される。
【００１４】
上記副帯３（装着体）または安全帯２には、環状部材が設けられ、この環状部材には、後述するロープ７、８の両端のフック１１、１２（容易着脱部）とフック１６、１７（困難着脱部）が係止される。具体的には、この環状部材は２つのＤ環５、６であり、このＤ環５、６は、安全帯２を装着した状態で作業する人の左右逆の位置、より具体的には作業する人の身体の左右を分ける中心線に対してほぼ左右対称の位置に押え布（図示せず）などを介して縫着される。このＤ環５、６（容易着脱部）には、ロープ７、８一端の後述するフック１１、１２（容易着脱部）が係合される。
【００１５】
また、副帯３または安全帯２の二つのＤ環５、６より背面側／後方側／中央寄りには、角環４、４（困難着脱部）が押え布（図示せず）などを介して縫着される。この角環４、４は、図１などでは「口型」の単体の環の形に描いているが、略直方形状の環が横方向に二つ連なった、横向きの「日型」の二重の環の構造をしている。この角環４、４の二重の一方の環にはロープ７、８端部であるフック１６、１７（困難着脱部）、角環４、４の二重のもう一方の環にはロープ７、８のもう一方の端部であるフック１１、１２（容易着脱部）が着脱自在に係合される。なお、角環４、４は、単体の環の「口型」でもよい。
【００１６】
そして、上記ロープ７、８の他端、つまりフック１１、１２（容易着脱部）が設けられた側と反対の他端には、ロープ７、８に対して伸縮調節器９、１０がスライド可能に取り付けられて、安全帯２及び副帯３からのロープ７、８の長さ／繰り出し量が調整される。この伸縮調節器９、１０に、上記フック１６、１７（困難着脱部）が連結され、このフック１６、１７が上記安全帯２／副帯３の角環４、４に着脱脱自在に係合される。なお、Ｄ環とは、環の形状がアルファベット大文字のＤに類似した形状の環をいい、角環とは環の形状が略直方形の環をいう。
【００１７】
（２）伸縮調節器９、１０及びフック１６、１７（困難着脱部）
図２は、伸縮調節器９、１０及びフック１６、１７（困難着脱部）の構造を示す。図２（ａ）は作業者Ｍの左側の伸縮調節器９を作業者Ｍの外側から見た状態を示す。右側の伸縮調節器９は、図２（ａ）の状態を左右線対称にした構造となる。なお、図２（ａ）は作業者Ｍの右側の伸縮調節器９を作業者Ｍの内側から見た状態を示すものであってもよい。
【００１８】
この伸縮調節器９、１０は、ステンレス等の金属製で、この伸縮調節器９、１０の端に連結された上記フック１６、１７は断面「Ｊ字状」で、フック１６、１７の根元に板状の開閉部２５、２５が回動可能／搖動可能に取り付けられる。この開閉部２５、２５は、外に向かってバネ付勢されて、これによりこの「Ｊ字状」の中を塞いでいる。この開閉部２５、２５のバネ付勢方向は、本落下防止安全装置１が装着されたときには、作業者Ｍの外側方向となる。
【００１９】
このフック１６、１７の開閉部２５、２５を押して、角環４、４を押しこむと、角環４、４の環がフック１６、１７内に入り込み、ロープ７、８の伸縮調節器９、１０のフック１６、１７が、安全帯２／副帯３の角環４、４に着脱自在に係合される。図２（ｂ）に示すように、開閉部２５、２５の先端は、「Ｊ字状」の中に深く入り込んでいるので、角環４、４が通る隙間／遊びが小さく、フック１６、１７から角環４、４が外れにくい。
【００２０】
したがって、フック１６、１７と角環４、４（困難着脱部）とが安全帯２／副帯３（装着体）に装着された状態のときのフック１６、１７と角環４、４との間、つまり困難着脱部自身内の遊び／隙間は少なく、フック１６、１７は角環４、４から容易に外れない。なお、開閉部２５、２５はフック１６、１７内に向かって延出されてもよく、これにより、角環４、４が、開閉部２５、２５とフック１６、１７との間に挟まれない。
【００２１】
この伸縮調節器９、１０は、二つの金属部材を連結した構造になっている。下部の金属部材は、操作部３３となっており、操作部３３の端部に上記フック１６、１７（困難着脱部）が連結されている。上部の金属部材は、ロープ７、８が挿通される断面Ｕ字形のロープホルダー３１となっており、ロープホルダー３１と操作部３３とは、２つの連結リンク３２、３２で連結され、この連結リンク３２、３２の両端とロープホルダー３１及び操作部３３とは軸で連結されている。
【００２２】
これにより、ロープホルダー３１に対して操作部３３が、ロープ７、８の長手方向に沿って揺動可能となっている。そして、操作部３３をロープ７、８に沿って長手方向に移動させると、ロープ７、８がロープホルダー３１内を摺動し、ロープ７、８の長さ／繰り出し量が調節される。
【００２３】
なお、図示しないが、連結リンク３２、３２の先端には、ロープ７、８に当接及び離間可能なストッパーが設けられている。伸縮調節器９、１０が握られて、図２（ａ）でロープホルダー３１に対して操作部３３が左に動くと、操作部３３がロープホルダー３１に近づき、ストッパーがロープ７、８から離れ、ロープ７、８のスライド及び調整が可能となる。
【００２４】
伸縮調節器９、１０の握りが解除されて、図２（ａ）でロープホルダー３１に対して操作部３３が右に動くと、操作部３３がロープホルダー３１から離れ、ストッパーがロープ７、８に当接して、ロープ７、８が伸縮調節器９、１０に対して動かなくなる。
【００２５】
作業中には、ロープ７、８及びロープホルダー３１が安全帯２／副帯３に対して引っ張られるので、図２（ａ）でロープホルダー３１に対して操作部３３が右に動く状態となり、ストッパーが機能して、作業中にはロープ７、８の長さ／繰り出し量の調整は禁止される。
【００２６】
（３）容易着脱器１１、１２（容易着脱部）
図３は落下防止安全装置１の容易着脱器１１（１２）を示す。ロープ７、８のもう一端には、フック１１、１２（容易着脱部）が設けられている。フック１１、１２は、スチール製、同形同大で、図３に示すように、ナス環構造からなっている。ナス環の開閉部１８、１８はフック１１、１２の外方にバネ付勢されており、開閉部１８、１８が環の内側に開かれ、これにより、ナス環構造のフック１１、１２が開かれる。
【００２７】
このフック１１、１２の開閉部１８、１８を押して、Ｄ環５、６を押しこむと、Ｄ環５、６の環がフック１１、１２内に入り込み、ロープ７、８のフック１１、１２が、安全帯２／副帯３のＤ環５、６および角環４、４に着脱自在に係合される。図３に示すように、開閉部１８、１８と、フック１１、１２のナス環の環部との間の隙間／遊びが大きいので、Ｄ環５、６および角環４、４が通る隙間／遊びが大きく、フック１１、１２からＤ環５、６を外し易い。
【００２８】
したがって、フック１１、１２とＤ環５、６（容易着脱部）および角環４、４（困難着脱部）とが安全帯２／副帯３（装着体）に装着された状態のときのフック１１、１２とＤ環５、６および角環４、４との間、つまり容易着脱部自身内の遊び／隙間は多く、フック１１、１２はＤ環５、６および角環４、４から外し易い。
【００２９】
この外し易いというのは、上記伸縮調節器９、１０のフック１６、１７と角環４、４との係合に比べてという意味であり、フック１１、１２がＤ環５、６および角環４、４から不用意に外れるという意味ではなく、安全性は保たれる。なお、「ナス環」は「茄子鐶」というが、便宜上「ナス環」の語を使う。
【００３０】
（４）落下防止安全装置１全体の平面
図４は落下防止安全装置１全体の概略図を示す。図４は落下防止安全装置１を上から見た状態を示す。図４に示すように、伸縮調節器９、１０のフック１６、１７（困難着脱部）を、上記安全帯２／副帯３から外すときの操作位置、つまり開閉部２５、２５は、上記安全帯２／副帯３またはフック１６、１７自身で隠されている。
【００３１】
したがって、フック１６、１７が角環４、４から容易に外れなくなる。このため、ロープ７、８のフック１６、１７側の端部は、作業中に不用意に安全帯２／副帯３から外れることがなく、安全となる。また、開閉部２５、２５とフック１６、１７との間に角環４、４が挟まれて、開閉部２５、２５が動かなくなり、開閉部２５、２５の解除が禁止され作動しなくなることもある。この場合でも、フック１６、１７が角環４、４から容易に外れない。
【００３２】
なお、上述のように、開閉部２５、２５がフック１６、１７内に向かって延出されている場合には、この延出部が安全帯２／副帯３に当接して、開閉部２５、２５の解除が禁止され作動しなくなる。この場合でも、フック１６、１７が角環４、４から容易に外れない。
【００３３】
この伸縮調節器９、１０を、ロープ７、８に沿って長手方向に移動させ、これにより、フック５、６（容易着脱部）とフック１６、１７（困難着脱部）との間の長さ／繰り出し量を調節することができる。したがって、ロープ７、８が周回する配電柱２１（柱状構造物）の大きさ、作業する人の作業のしやすさに合わせて、ロープ７、８及び安全帯２／副帯３によって形成される、Ａ環、Ｂ環の長さ（図４参照）を調節することができる。
【００３４】
また、角環４、４は、安全帯２／副帯３を作業者Ｍが装着した状態で、安全帯２／副帯３上の作業する人の身体の左右のほぼ真横に位置する。つまり、２本のロープ７、８の２つのフック１６、１７（困難着脱部）は、上記作業する人の左右逆の位置に設けられる。
【００３５】
なお、ロー７とロープ８とを入れ替え、左の伸縮調節器９及びフック１６と右の伸縮調節器１０及びフック１７とを入れ替えてもよい。これにより、開閉部２５、２５が作業者Ｍの内側に向き、安全帯２／副帯３側に向いて、開閉部２５、２５が安全帯２／副帯３で隠されて、しかも開閉部２５、２５の外側もフック１６、１７で隠される。したがって、伸縮調節器９、１０のフック１６、１７が角環４、４から容易に外れなくなり、安全となる。
【００３６】
Ｄ環５、６は、図４に示すように、バックル１４を締め安全帯２／副帯３を装着した状態では、作業する人の体の中心に対して左右対称に位置する。そして、上記２本のロープ７、８の２つのフック１１、１２（容易着脱部）は、作業する人の左右逆の位置に設けられる。図４に示すように、安全帯２／副帯３を装着した状態では、左側のフック１６（困難着脱部）から延びるロープ７は、配電柱２１を周回して、安全帯２のバックル１４の右側に設けられたＤ環５に端部のフック１１が係止される。
【００３７】
または、ロープ７の両端部であるフック１６、フック１１とも左側の角環４に係合される。一方、右側のフック１７から延びるロープ８は、配電柱２１を周回して、安全帯２のバックル１４の左側に設けられたＤ環６に端部のフック１２が係止される。または、ロープ８の両端部であるフック１７、フック１２とも右側の角環４に係合される。
【００３８】
このように、上記フック１１、１２（容易着脱部）を、上記安全帯２／副帯３から外すときの操作位置、つまり開閉部１８、１８はどこにも隠れず、フック１１、１２の下方に常に露出しており、開閉部１８、１８の作動は上記開閉部２５、２５のように妨害されることもない。これにより、フック１１、１２はＤ環５、６から外し易くなり、作業効率が向上する。
【００３９】
この外し易いというのは、上記伸縮調節器９、１０のフック１６、１７と角環４、４との係合に比べてという意味であり、フック１１、１２がＤ環５、６から不用意に外れるという意味ではなく、安全性は保たれる。
【００４０】
また、２本のロープ７、８は、安全帯２／副帯３上の作業する人の身体の中心線に対しほぼ左右対称の位置に係止されるので、後述するように、配電柱２１上の障害物２３をかわして昇降する場合に、ロープ７、８のフック１１、１２を一旦外して、再び、安全帯２／副帯３のＤ環５、６または角環４，４に係止する際に、着脱すべき落下防止ロープの順番を間違えことがなくなる。
【００４１】
ロープ７、８は、丈夫なナイロン製で、三本のストランドで構成された三つ打ち構造となっており、内部に芯を備えている。長さは、最大で３メートルほどである。上述したように、ロープ７、８のそれぞれの一端にはフック１１、１２（容易着脱部）が設けられ、他端には、伸縮調節器９、１０を介してフック１６、１７（困難着脱部）が設けられている。つまり、ロープ７、８は、柱状の構造物を周回し、両端が上記安全帯２／副帯３の異なる位置に着脱自在に係止される。または、両端のフックとも同じ角環４、４に係合される。
【００４２】
図４に示すように、安全帯２／副帯３の作業者Ｍの背中側には、作業に必要な工具等を収納する収納部１５を備えていてもよい。
【００４３】
（５）落下防止安全装置の使用状態
図５、図６は、本発明による落下防止安全装置１の使用状態を示す。以下に、図５、図６を参照して、本発明の落下防止安全装置１の具体的な使用状態を説明する。作業する人Ｍは、副帯３を内側にして安全帯２／副帯３を腰部に周回し、バックル１４で腰部から離脱しないようにしっかりと固定する。そして、作業者Ｍの左側のフック１６から延びるロープ７を左側から時計回りに配電柱２１を周回させ／巻き付け、伸縮調節器９でロープ７の長さを調節しながら、ロープ７の一端に設けられたフック１１を安全帯２／副帯３の右側のＤ環５に係合する。
【００４４】
つぎに、作業者Ｍの右側の角環４に係合されるフック１７から延びるロープ８は、配電柱２１を周回させずに、他端に設けられたフック１２を同じ角環４に係合しておき使わない。ロープ７、８先端のフック１１、１２を一時的に外したときに、外したフック１１、１２を垂下した状態のままにしておくと、作業及び昇降の際に邪魔になり、ロープ７、８先端が作業者Ｍの身体の一部または配電柱２１に絡まることがある。しかし、使わないロープ７、８のフック１１、１２を、配電柱２１を周回しないで角環４、４に係合しておけば、これを防ぐことができる。
【００４５】
上記状態で、作業者Ｍは、ステップボルト２２…を手で掴み、あるいは足を順にかけながら、ロープ７のみを配電柱に周回させたまま、配電柱２１を昇っていく。作業者Ｍが降柱する場合にも、同様にロープ７のみを配電柱に周回させたまま降柱する。このとき、ロープ８は両端のフック１２，１７を角環４に係合させ垂下させて使わない状態となる。この使わないロープ８は、作業者Ｍの前には無く後ろ側に位置し、作業者Ｍの作業や昇降の邪魔にならない。このとき、ロープ７は配電柱２１に周回させたままで安全である。
【００４６】
また、図６は、作業者Ｍが障害物２３を通過して昇柱する際の使用状態を示す。障害物２３は配電柱２１の外に突出して昇降の障害になるものである。作業者Ｍが、配電柱２１上の障害物２３のところまで昇った時点で、使わなかったロープ８のフック１２を右側の角環４からはずし、ロープ８を障害物２３より上方で配電柱２１を周回させ／巻き付け、フック１２をＤ環６に係止する。この場合、Ｄ環６を目で確実に確認できるので、フック１２の架け間違えがない。これは、左右逆の場合の、ロープ７のフック１１をＤ環５に係止する場合でも同じである。
【００４７】
次に、下側のロープ７先端のフック１１（容易着脱部）を、安全帯２／副帯３に設けられたＤ環５から外して左に回し、ロープ７の配電柱２１の周回を解除する。そして、フック１１を左側の角環４に係合させてロープ７を垂下させて使わない、あるいは収納部１５に収納しておき、配電柱２１のステップボルト２２…を上る。つまり、ロープ８一本を配電柱２１に周回させた状態で昇柱する。このとき、Ｄ環５、６は、作業者Ｍの左右逆の位置に設けられているため、フック１１、１２の係止位置を間違えることはない。
【００４８】
以上のようにすれば、障害物２３を超えて、配電柱２１を上る場合にも、２本のロープ７、８の係止位置を取り違えることないため、安全に障害物２３を回避して越えられる。
【００４９】
この場合、２本のロープ７、８とも、配電柱２１上の係止部２４などに係止させることなく、配電柱２１を周回させて、障害物２３を回避して越えられる。このため、ロープ７、８が、作業者Ｍの前に垂直方向に張られることがないため、作業の邪魔にならないし、昇降の邪魔にもならない。さらに、配電柱２１上の障害物２３をかわすためロープをかけかえるときも、一本のロープは配電柱２１に周回された状態であるため、作業者Ｍが配電柱２１にしがみつく必要がなく、両手が自由になって作業効率が向上し、安全で素早くロープのかけかえができる。
【００５０】
なお、場合によって、ロープ７、８のフック１１、１２を係止部２４に係止させてもよい。この場合、ロープ８を配電柱２１に周回させる前、ロープ８を配電柱２１に周回させた後に、ロープ７を緩めた時に、ロープ７を外す前、またはロープ７を外した後に、ロープ８のフック１２を係止部２４に係止させてもよい。
【００５１】
さらに通常の昇降のときでも、または配電柱２１での作業のときに、垂下させて使っていないロープ８のフック１２を係止部２４に係止することもできる。これにより、より安全となる。この場合、作業をしやすくするため、両方のロープ７の周回も解除することもできる。
【００５２】
なお、障害物２３を越えるとき、使っていないロープ８のフック１２を係止部２４に係止し、周回しているロープ７の周回を解除して、障害物２３を乗り越えてロープ７を周回し直すことも可能ではある。しかし、これでは、作業者Ｍは、係止部２４に係止される１本のロープ８だけで吊り下がっているので、体を安定させるため、片手または両手で配電柱２１をつかんでいなくてはならず、両手が自由にならない。
【００５３】
これに対して、上記のようにロープ７、８を架け替えすれば、両手が自由になり、作業効率が向上し、より安全になる。また、係止部２４を使うような場合には、常に係止部２４があるとは限らず不便であるし、係止部２４と間違えて、ステップボルト２２にフック１１、１２を係止してしまうかもしれない。ロープ７、８を配電柱２１に周回させて架け替えすれば、このような過誤はない。
【００５４】
障害物２３をかわして配電柱２１を降りる場合も、フック１１、１２（容易着脱部）のうち角環４，４に係合されている方のフックを外し、障害物２３より下方で配電柱２１を周回して、安全帯／副帯３のＤ環５、６に係止すれば、同様に、安全に降柱することができる。以上の障害物２３の回避は、ロープ７と８との上下関係が入れ替わって、障害物２３の下にロープ８があり、障害物２３の上にロープ７を配置する場合でも同様に可能である。
【００５５】
上記障害物２３を越えるとき、上下のロープ７、８のフック１１、１２（容易着脱部）が左右逆になるため、２本のロープ７、８を左右で区別／右手と左手とで区別できる。このように左右で区別できるため、障害物２３を越えるため配電柱２１にいったん周回させたロープを再び誤って外してしまうことがなく、両方のロープを同時に装着体から外してしまうこともなくなる。
【００５６】
上記障害物２３の断面の大きさは配電柱２１を周回するロープ７、８の周回面積より大きい、または障害物２３の配電柱２１からの延びる長さは、周回するロープ７、８の配電柱２１からの最大の離間長さより大きい。しかし、障害物２３の大きさはこれらの逆の小さいものでもよい。
【００５７】
このような小さい障害物２３を越えるときでも、２本のロープ７、８の周回の架け替えが行われてもよい。このような小さい障害物２３を越えるときには、ロープ７、８の周回の架け替えが行われず、周回しているロープ７、８をそのまま障害物２３を乗り越えてさせてもよい。このような架け替えを行わない場合、乗り越えるロープ以外のロープを配電柱２１に周回させてもよいし、周回させなくてもよい。
【００５８】
(６)他の実施の形態
本発明は、上記実施形態に限定されず、種々変更可能である。例えば、ロープは２本であったが、３本以上であってもよい。また２本のロープが作業者Ｍの後方、つまり図４の下のロープ７と８の先端どうしでつながって１本となっていてもよい。
【００５９】
ロープ７、８、安全帯２、副帯３、帯通し１３、収納器１５の素材は、ナイロン製であったが、ポリエステル、ポリエチレン、ビニロン、アラミド、クレモナ（ビニロン、ポリエステルの混紡糸、クラレの製品、商標）等の合成繊維製、木綿、麻等の天然繊維製、ガラス繊維製、金属繊維、金属ワイヤー等人の体重を支えられる程度の強度を持つ素材であり、耐候性、耐久性に優れた素材であれば何でもよい。絶縁性のロープであれば、更に好ましい。
【００６０】
上記実施形態では、ロープ７、８は三つ打ちであったが、八つ打ちでも、縒りロープでも網ロープでもよいし、ロープの芯はあってもなくてもよいし、ロープ７、８は、帯状、網状、紐状、折り尺状、可撓性の少ない環状体、幅の太いものなど、配電柱２１を周回して係止できれば、なんでもよい。
【００６１】
ロープ７、８の長さは３メートルほどであったが、通常の配電柱を周回できる程度の長さであれば、これより長くても短くてもよい。また、ショックアブソーバー付きの平ロープや、素材自体が伸縮性を持ったロープを使用してもよい。
【００６２】
ロープ７、８のフック１６、１７（困難着脱部）の着脱位置、つまり角環４、４は、安全帯２／副帯３の前側／横／後ろ側など、どこに設けられてもよい。角環４、４が身体の前方に来ていると作業の邪魔になるが、着脱操作はし易い。フック１１、１２（容易着脱部）の着脱位置は、つまりＤ環５、６は、作業者Ｍの左右対称の位置にあったが、安全帯２／副帯３の前側／後ろ側／横側など、どこに設けられていてもよい。Ｄ環５、６が、角環４、４より安全帯２／副帯３の後方に設けられていてもよい。
【００６３】
これらの着脱位置は左右線対称の位置にあったが、対称の位置に限られず、互いに左右線対称の位置からずれていてもよい。また、右のフック１７と右のフック１１とは、安全帯２／副帯３の同じ位置に着脱自在に連結されてもよく、左のフック１６と左のフック１２とは、安全帯２／副帯３の同じ位置に着脱自在に連結されてもよい。
【００６４】
右の角環４と右のＤ環５と兼用されて一方が省略され、右のフック１１（容易着脱部）と右のフック１７（困難着脱部）とが、安全帯２／副帯３の同じ位置に係合されてもよい。また、左の角環４と左のＤ環６と兼用されて一方が省略され、左のフック１２（容易着脱部）と左のフック１６（困難着脱部）とが、安全帯２／副帯３の同じ位置に係合されてもよい。
【００６５】
安全帯２／副帯３は、ナイロン製であったが、丈夫で耐候性、耐久性に優れた素材なら他の合成繊維製でもでもよいし、布製でもよい。絶縁性であることが更に好ましい。副帯３の素材も同様に、丈夫で耐候性、耐久性に優れた素材なら合成繊維製でも布製でもどんな素材でもよい。パットが入っていれば、更に、腰部が保護されるが、なくてもよい。また、副帯３の縦方向の幅は、安全帯２より広かったが、同じ幅でも、これより狭くてもよい。長さも安全帯２より短かったが、同じ長さでも、これより長くてもよい。また、副帯３はなくてもよい。
【００６６】
安全帯２／副帯３は、腰部のみを周回する腰ベルトタイプものであったが、腰部の他に腿や肩にもベルトを通し、全身を保持するハーネスタイプの安全帯または副帯であってもよいし、腹巻などの幅の太い帯状の物や、チョッキ状などの服装状でもよく、取り付けられる位置は腰部のほか、腹部、胸部、大腿部、肩部、背中部、脇部などに取り付けられてもよい。
【００６７】
収納部１５は、ナイロン製であったが、丈夫で、耐候性、耐久製のある素材であれば、布製でも、何でもよい。作業者Ｍの背中側にあったが、安全帯２／副帯３のどこにあってもよい。また、収納部１５は、なくてもよい。
【００６８】
安全帯２／副帯３には、Ｄ環５、６、角環４、４が逢着されていたが、閉じた環であれば、丸環、Ｖ環、Ｂ環等他のどんな形状の環状部材であってもよい。安全帯２／副帯３に縫着される環状部材の数は４つであったが、これより多くても少なくてもよい。フック１１、１２、環状部材ともスチール製であったが、アルミ等その他の金属製でも、強度があれば、金属以外の素材であってもよい。ロープ７、８先端と安全帯２／副帯３は、ナス環等開閉可能な環とＤ環等閉鎖環とで係合されるものであったが、これ以外にも、たとえば、ロープ７、８先端を安全帯２／副帯３に縛りつけるものでもよいし、互いに係合可能であれば強力な磁石等どんなものでもよい。同様に、フック１６、１７は角環４、４と係合されるものであったが、これ以外にも、互いに係合可能であればどんなものでもよい。
【００６９】
伸縮調節器９、１０は、操作部３３が下部に設けられ、ロープ７、８が挿通するロープホルダー３１が上部に設けられているが、ロープホルダー３１が下部に、操作部３３が上部に設けられたタイプのものでもよいし、まったく異なった形状のものでもよい。伸縮調節器９、１０はなくてもよい。
【００７０】
上記、落下防止安全装置１は、配電柱２１で作業、昇降する際に用いられているが、配電柱２１は、コンクリート製でも木製でも金属製でもよい。また、配電柱以外にも森林、公園などの樹木といった自然物、通信塔、鉄塔、ポール、雨樋等他の柱状の人工物などの物体、構造物上で作業、昇降する際に、本落下防止安全装置１が用いられてもよい。配電柱２１は円柱のほか、角柱、円錐、角錐、凹凸のある柱状のものでもよい。障害物２３、ステップボルト２２、掛止部材２４はあっても無くてもよいし、配電柱２１の表面にその他の形状の障害物、例えばステップ、電線、碍子、電気機器、はしご、枝、巣箱、掛止部材があってもよい。また、ロープ先端のフック１１、１２が構造物の一部に係止可能であれば、そのような構造物の高所で作業する場合にも、使用することができる。
【００７１】
フック１１、１２、フック１６、１７は、「ナス環構造」「Ｊ字状構造」に限られるものではなく、丸環、角環、Ｖ環、Ｂ環、Ｄ環等何でもよい。なお、丸環、Ｖ環、Ｂ環とは、それぞれ、円形、三角形、アルファベット大文字のＢに類似した形状の環を意味する。フック１１、１２、フック１６、１７は、フック及びホック、面ファスナー、線ファスナー、ボルト及びナット、ボタン、ねじ、接着剤、接着テープ、磁石のほか、上記バックル１４（固定部）と同様のものなど、着脱できればなんでもよい。
【００７２】
バックル１４（固定部）は、作業する人の胴体に固定できれば、フック及びホック、面ファスナー、線ファスナー、ボルト及びナット、ボタン、ねじ、接着剤、接着テープ、磁石のほか、上記フック１１、１２、１６、１７と同様のものなどなんでもよい。
【００７３】
なお、墜落とは地上まで落ちることをいい、落下とは途中まで落ちることをいう。本発明の落下には、これら途中までの場合と地上までの場合とずれ落ちる場合などすべてを含むが、本発明の落下防止安全装置も従来の落下防止安全装置も、このような落下をすべて防止・阻止するものである。
【００７４】
落下防止安全装置１、安全帯２、副帯３、角環４、Ｄ環５、Ｄ環６、ロープ７、ロープ８、伸縮調節器９、伸縮調節器１０、フック（容易着脱部）１１、フック（容易着脱部）１２、帯通し１３、バックル（固定部）１４、収納器１５、フック（困難着脱部）１６、フック（困難着脱部）１７、開閉部１８、配電柱２１、ステップボルト２２、障害物２３、掛止部材２４、開閉部２５、ロープホルダー３１、連結リンク３２、操作部３３のそれぞれの一部または全体はなくてもよいし、その数は増えても減ってもよいし、その形状は任意に変更可能であり、均等の他のものに置き換えられてもよいし、これらの２つまたは３つ以上が合体または一体化されて兼用されていてもよい。
【００７５】
（７）他の発明の効果
以下の他の発明の効果及び本明細書の中の落下、墜落といった事故の防止、その他の危険の防止の効果は、従来技術に対するというものではなく、高所での作業という一般論として落下、墜落の事故が起きるかもしれないということに対するものである。
［１］柱状の構造物の高所で作業する人の腰部付近に装着され装着体と、この装着体の所定位置に設けられ、当該装着体を腰部に離脱しないように固定する固定部と、上記柱状の構造物を周回し、両端が上記装着体の異なる位置に着脱自在に係止される、少なくとも２本のロープとを備えたことを特徴とする落下防止安全装置。これにより、作業者が高所で作業する際に、作業者の安全を確保できる。
【００７６】
［２］上記柱状の構造物を作業者が昇降するとき、上記２本のロープの片方を当該柱状の構造物を周回させ、  当該柱状の構造物の外に突出する障害物がある箇所では、  上記柱状の構造物を周回するロープが、当該障害物の下にあるとき、残りの他のロープを当該障害物の上に周回させて、当該障害物の下にあるロープの当該周回を解除し、  上記柱状の構造物を周回するロープが、当該障害物の上にあるとき、残りの他のロープを当該障害物の下に周回させて、当該障害物の上にあるロープの当該周回を解除し、  これにより当該障害物を越えて昇降することを特徴とする請求項１記載の落下防止安全装置。これにより、柱状の構造物の外に突出する障害物があっても、この障害物を安全に回避して、柱状の構造物を昇降できる。
【００７７】
［３］上記２本のロープのそれぞれの一端には容易着脱部が設けられ、他端には困難着脱部が設けられ、  この困難着脱部を上記装着体から外すときの操作位置が上記装着体または困難着脱部自身で隠されるまたは困難着脱部が作動しなくなって容易に外すことができず、  上記容易着脱部を上記装着体から外すときの操作位置が隠されずまたは容易着脱部の作動が妨害されず容易に外すことができることを特徴とする請求項２記載の落下防止安全装置。
【００７８】
これにより、高所で作業者が作業するときに、作業中に着脱の必要のない困難着脱部は不用意に外れることがなく、安全に作業ができる。また、柱状構造物を昇降する際、特に、構造物上に設けられた障害物をかわして昇降する時等に、掛け外しの必要のある容易着脱部が着脱容易であるため、安全性を確保したままスムーズな昇降ができる。
【００７９】
［４］上記２本のロープの２つの容易着脱部は、上記作業する人の左右逆の位置に設けられ、  上記２本のロープの２つの困難着脱部は、上記作業する人の左右逆の位置に設けられることを特徴とする請求項３記載の落下防止安全装置。これにより、配電柱等を昇降する際、または、障害物を通過するとき等、一時的にロープを掛け外ししなければならないときであっても、もう一本のロープを配電柱の上方または下方に回しかければよく、２本のロープの係止位置を取り違えることがなく、着脱すべき落下防止ロープの順番を間違えない。
【００８０】
このため、より安全に作業することができる。また、障害物を越えるとき、上下のロープの容易着脱部が左右逆になるため、２本のロープを左右で区別／右手と左手とで区別でき、障害物を越えるため柱状構造物にいったん周回させたロープを誤って再び外してしまうことがなく、両方のロープを同時に装着体から外してしまうこともなくなる。
【００８１】
［５］上記困難着脱部が装着体に装着された状態の困難着脱部自身内の遊びは少なく、困難着脱部は容易に外すことができず、  上記容易着脱部が装着体に装着された状態の容易着脱部自身内の遊びは、上記困難着脱部自身内の遊びより多く、容易着脱部は装着体から容易に外すことができることを特徴とする請求項４記載の落下防止安全装置。
【００８２】
これにより、高所で作業者が作業するときに、作業中に着脱の必要のない困難着脱部は不用意に外れることがなく、安全に作業ができる。また、柱状構造物を昇降する際、特に、構造物上に設けられた障害物をかわして昇降する時等に、掛け外しの必要のある容易着脱部が着脱容易であるため、安全性を確保したままスムーズな昇降ができる。
【００８３】
［６］上記困難着脱部は、上記装着体からの上記ロープの長さを調節する伸縮調節器を備えることを特徴とする請求項５記載の落下防止安全装置。これにより、柱を周回するロープの長さ／繰り出し量を、柱状構造物に合わせて、安全で作業しやすい適切な長さに調節することができる。また、作業中は容易着脱部の方に触れ、困難着脱部の方には、作業中は通常は触れないので、作業中に誤って触って、ロープの長さ／繰り出し量を不用意に変えてしまうことがない。
【００８４】
［７］上記容易着脱部は、上記柱状の構造物表面に設けられた掛止部材に着脱自在に係止されることを特徴とする請求項６記載の落下防止安全装置。これにより、高所で作業中に柱上の障害物を通過して昇降するとき等、一時的に柱に周回したロープを外さなければならないときであっても、ロープ先端を構造物に係止しておくことができるため、安全性を確保することができる。
【００８５】
［８］上記装着体には、上記ロープの着脱部および上記伸縮調節器が係合される複数の環状部材を有することを特徴とする請求項７記載の落下防止安全装置。これにより、ロープの着脱が容易になり、高所での作業がしやすくなる。
【００８６】
［９］上記ロープの着脱部を収納する収納部を有することを特徴とする請求項８記載の落下防止安全装置。これにより、一時的にロープを外さなければならないときでも、外したロープ先端を収納器に収納しておけば、外したロープの先端が作業の邪魔にならず、安全性が確保され、また、作業効率も上がる。
【００８７】
［１０］上記装着体は、上記作業者の腰部を周回する安全帯と、この安全帯内側に、この安全帯より縦方向の幅が広い副帯とを備えることを特徴とする請求項９記載の落下防止安全装置。これにより、作業者の腰部を保護し、作業がしやすくなるとともに、作業者が腰を痛めるのも防止することができる。
【００８８】
［１１］上記伸縮調節器は、ロープが引っ張られると、ロープに当接して、ロープに対して伸縮調節器を移動させないストッパーを備えていることを特徴とする請求項６記載の落下防止安全装置。これにより、柱状の構造物をロープが周回して、作業者の体重でロープが引っ張られると、ロープの長さ／繰り出し量が変更されず、安全となる。
【産業上の利用可能性】
【００８９】
本発明の落下防止安全装置１は、配電柱２１等柱状の構造物の高所で作業する作業者Ｍの安全を確保するための装置である。落下防止安全装置１は、作業者Ｍの腰部を周回して固定する安全帯２／副帯３と、この安全帯２／副帯３に取り付けられ、柱を周回する２本のロープ７、８を備える。作業者Ｍが配電柱２１等を昇降する際には、これらのロープ７、８のうち一方、たとえばロープ７を配電柱２１等に周回させ、安全帯２／副帯３に所定位置に係止する。他方のロープ８は、両端のフック１７、フック１２を同じ角環４に係合しておく。つまり、ロープ７のみを配電柱２１に周回した状態で、配電柱２１を昇柱する。このようにして、常に、作業者Ｍの安全を確保する。
【００９０】
また、配電柱２１上の設けられた障害物２３を通過して昇柱する時には、ロープ８先端のフック１２を角環４から外し、障害物２３より上方で配電柱２１に周回させ、その先端フック１２をＤ環６に係合する。こうすれば、作業者Ｍの安全を確保できる。この状態のまま、もう一方のロープ７先端のフック１１を外し、左側の角環４に係合する。この後は、ロープ８のみを配電柱２１に周回した状態で、配電柱２１を昇柱する。このようにすれば、両手が自由になってしかも安全に、障害物２３を通過することができる。
【００９１】
障害物２３を通過して降柱する時は、ロープ８先端のフック１２を角環４から外し、障害物２３より下方でロープ８を配電柱２１に周回させ、先端のフック１２を安全帯２／副帯３に係止する。そののち、もう一方のロープ７先端のフック１１を外して、左側の角環４に係合する。つまり、ロープ８のみを配電柱２１に周回した状態で降柱する。
【００９２】
このとき、本発明の安全装置１では、フック１１、１２の係合位置が、作業する人の左右逆の位置に設けられているため、着脱すべきロープの順番を間違えない。したがって、フック１１、１２の掛け違えがない。
【００９３】
障害物２３を越えるときロープ７とロープ8とを架け替えて、配電柱等の高所で作業する人の安全を確保する。落下防止安全装置１は、作業者Ｍの腰部を周回し固定される安全帯２／副帯３と、この安全帯２／副帯３に係止される２本のロープ７、８を備える。ロープ７、８一端のフック１６、１７は常に安全帯２／副帯３の角環４、４に係止される。ロープ７、８の他端にはフック１１、１２が設けられ、ロープ７、８の一方は配電柱を周回して、そのフックは安全帯２／副帯３の異なった位置に設けられたＤ環５、６の一方に係止される。他方のロープの両端のフックは同じ角環４に係合され使われない。ロープ７、８の一方が必ず安全帯２／副帯３につながっているので安全である。Ｄ環５、６は作業する人の左右逆の位置に設けられているため、フック１１、１２の掛け間違えがない。
【００９４】
例えば一方のロープ７は配電柱を周回して、ロープ７のフック１１は安全帯２／副帯３の異なった位置に設けられたＤ環５に係止される。他方のロープ８の両端のフック１２、１７は同じ角環４に係合され垂下される。障害物２３があるとき、垂下されて使われていないロープ８のフック１２を角環４から外し、当該障害物２３の上の配電柱を周回させて、他のＤ環６に係止する。そして、障害物２３の下側のロープ７のフック１１をＤ環５から外し、ロープ７の周回を解除して左の角環４に係止しフック１６と同じところに係止する。この後、ロープ８を使って配電柱を昇る。
【図１】
0006055582.tif 000002
【図２】
0006055582.tif 000003
【図３】
0006055582.tif 000004
【図４】
0006055582.tif 000005
【図５】
0006055582.tif 000006
【図６】
0006055582.tif 000007